(57)【要約】  本発明は、前面（５）を有する楽器（１）の弦（４）の振動をキャプチャするための電気的又は電子的装置（１１）を交換するための装置（１０）に関し、装置は、前面に取り付けられる又は前面と一体化されることが意図されて、アンプ回路（１５）に接続するための電気的接続手段（１４）が設けられたクレードル（１３）と、少なくとも２つのキャプチャシステムが設けられ、各位置において、弦に面する動作位置にキャプチャシステムを置くように、少なくとも２つの位置の間でクレードルに対して回転可能であるようにクレードルで調整され、弦に面する少なくともキャプチャシステムを接続手段に接続するための電気的接続手段（４０）を備える、少なくとも１つのシリンダ（２０）と、シリンダを回転させるための手段（２１）とを備える。本発明によると、クレードルが前記前面に固定されたとき、シリンダの回転軸は前面と略平行である。 【選択図】図3
2021520524.tif 000002
【特許請求の範囲】
【請求項１】
弦（４）に面する前面（５）を備える楽器（１）の弦（４）の振動をピックアップするための電気的又は電子的システム（１１）を切り換えるための装置（１０）において、
−  前記前面（５）に固定又は一体化されることが意図されて、アンプ回路（１５）への電気的接続のための手段（１４）が設けられたクレードル（１３）と、
−  少なくとも２つのピックアップシステム（１１）が設けられ、各位置において、前記弦（４）に面する動作位置に１つのピックアップシステム（１１）を置くように、少なくとも２つの位置の間で前記クレードル（１３）に対して回転運動可能であるように前記クレードル（１３）に取り付けられ、少なくとも前記弦（４）に面する前記ピックアップシステム（１１）を前記接続手段（１４）に電気的に結合するための手段（４０）を備える、少なくとも１つのバレル（２０）と、
−  前記バレル（２０）を回転させるための手段（２１）と、
を備え、
前記クレードル（１３）が前記前面（５）に固定されたとき、前記バレル（２０）の回転軸Ａ１が前記前面（５）に略平行である、
装置（１０）。
【請求項２】
−  少なくとも２つのバレル（２０）であって、各バレル（２０）に、少なくとも２つのピックアップシステム（１１）が設けられて、各位置において、前記弦（４）に面する動作位置に１つのピックアップシステム（１１）を置くように、少なくとも２つの位置の間で前記クレードル（１３）に対して回転運動可能であるように前記クレードル（１３）に取り付けられており、少なくとも前記弦（４）に面する前記ピックアップシステム（１１）を前記接続手段（１４）に電気的に結合するための手段（４０）を備える、少なくとも２つのバレル（２０）と、
−  前記各バレル（２０）を回転させるための手段（２１）と
を備える、請求項１に記載の装置（１０）。
【請求項３】
前記各バレル（２０）が、前記クレードル（１３）に取り外し可能に取り付けられている、請求項１又は２に記載の装置（１０）。
【請求項４】
前記各バレル（２０）が、ピックアップシステム（１１）を支持する取り外し可能なドロア（３４）を受けることが意図された少なくとも１つの外被（３３）を備える、請求項１〜３のいずれか一項に記載の装置（１０）。
【請求項５】
前記各ピックアップシステム（１１）が、前記取り外し可能なドロア（３４）によって支持され、前記各バレル（２０）が、ピックアップシステム（１１）と同じ数の外被（３３）を備える、請求項４に記載の装置（１０）。
【請求項６】
前記各ピックアップシステム（１１）が、前記バレル（２０）の前記回転軸Ａ１に略平行である方向Ｄ１に沿って並べられたトランスデューサ（３１）の列を備える、請求項１〜５のいずれか一項に記載の装置（１０）。
【請求項７】
前記各バレル（２０）を所定の位置まで回転させて、１つのピックアップシステム（１１）を動作位置に置くそれぞれの位置に固定するための手段（４５）を備える、請求項１〜６のいずれか一項に記載の装置（１０）。
【請求項８】
前記結合手段（４０）が、動作位置にある前記ピックアップシステム（１１）のみ、前記接続手段（１４）に電気的に結合されるように適合されている、請求項１〜７のいずれか一項に記載の装置（１０）。
【請求項９】
前記各バレル（２０）の前記作動手段（２１）が動力化されている、請求項１〜８のいずれか一項に記載の装置（１０）。
【請求項１０】
前面（５）と、動作位置にある前記各ピックアップシステム（１１）が前記弦（４）に面するように配置されているように、前記前面（５）に固定又は一体化された、請求項１〜９のいずれか一項に記載の少なくとも１つの装置（１０）とを備える、弦楽器（１）。
【請求項１１】
エレキギター（１）である、請求項１０に記載の楽器（１）。
【請求項１２】
楽器（１）の弦（４）の振動をピックアップするための少なくとも１つの電気的又は電子的システム（１１）を備え、請求項４又は５に記載の装置（１０）のバレル（２０）に取り外し可能に取り付けられることが意図されている、
ドロア（３４）。
【請求項１３】
請求項１〜９のいずれか一項に記載の装置（１０）に取り付けられることが意図されている、楽器（１）の弦（４）の振動をピックアップするための少なくとも２つの電気的又は電子的システム（１１）が設けられたバレル（２０）。
【発明の詳細な説明】
【技術分野】
【０００１】
本発明は、特に、撥弦楽器又は弦楽器の、電気的又は電子的弦振動ピックアップシステムを切り換えるための装置の技術分野に関する。
【背景技術】
【０００２】
米国特許第２０１５／０２９４６５９号明細書は、エレキギターの、マイクロホンとも呼ばれる、電気的弦振動ピックアップシステムを切り換えるための装置を開示している。この装置は、４セットのマイクロホンが配置された、ギターの前面に一体化されたプレートを備える。このプレートは、ギターの前面に対して垂直な軸を中心に回転運動可能である。マイクロホンセットがギターブリッジ上に置かれるとき、第２のマイクロホンセットがギターネック上に配置されるように、マイクロホンセットはプレート上に置かれる。さらに、マイクロホンセットは、それぞれの弦の太さに関連する使用方向を有する。よって、マイクロホンセットが作動するのに適した２つの組合せと、マイクロホンセットが使用方向とは反対の方向に配置された２つの組合せとが存在する。よって、これらの２つの他の組合せは、適切な作動に適していない。よって、音楽家は、自分がギターを使用する間に切り換えることができる２つの組合せから選択する。このような装置は、マイクロホンセットの容易な変更を可能にする場合、欠点のために、大きく、見苦しく、前面のかなりの面を占めなければならず、それは、前面の振動挙動に実質的に影響を与え、よって、全体としてギターの音に影響を与える。
【発明の概要】
【課題を解決するための手段】
【０００３】
これらの欠点を改善するために、本発明は、弦に面する前面を備える楽器の弦の振動をピックアップするための電気的又は電子的システムを切り換えるための装置に関し、装置は、
−  前面に固定又は一体化されることが意図されて、アンプ回路への電気的接続のための手段が設けられたクレードルと、
−  少なくとも２つのピックアップシステムが設けられ、各位置において、弦に面する動作位置に１つのピックアップシステムを置くように、少なくとも２つの位置の間でクレードルに対して回転運動可能であるようにクレードルに取り付けられ、少なくとも弦に面するピックアップシステムを接続手段に電気的に結合するための手段を備える、少なくとも１つのバレルと、
−  バレルを回転させるための手段と、
を備える。本発明によると、装置は、クレードルが前面に固定されたとき、バレルの回転軸が前面に略平行であることを特徴とする。
【０００４】
前面の平面に平行なバレルの回転軸の方向により、前面の挙動への影響が少なく、先行技術による装置より離散的であるように、前面上の本発明による装置の設置面積を制限することができる。さらに、電気的又は電子的振動ピックアップシステムを備えるバレルの実施態様により、多数のセットを使用し、同時に、容積を最小限とすることができる。
【０００５】
本発明による装置、特にそのクレードルは、その製造中に、楽器に一体化させることができることに留意されたい。よって、本発明は、本発明によるピックアップシステムを切り換えるための少なくとも１つの装置を組み込む楽器にも関する。
【０００６】
本発明の１つの特徴によると、装置は、
−  少なくとも２つのバレルであって、各バレルに、少なくとも２つのピックアップシステムが設けられ、各位置において、弦の反対側の動作位置に１つのピックアップシステムを置くように、少なくとも２つの位置の間でクレードルに対して回転運動可能であるようにクレードルに取り付けられており、弦の反対側の少なくともピックアップシステムを接続手段に電気的に結合するための手段を備える、少なくとも２つのバレルと、
−  各バレルを回転させるための手段と、
を備える。
【０００７】
少なくとも２つのバレルを使用することにより、異なる所定の場所に対する少なくともにおいて、振動をピックアップすることができ、それらは互いに独立して、異なるシステムで実行することができる。それにより、さまざまな振動ピックアップシステム及び多数の可能な組合せが可能となる。実際、２つのバレルは、互いに連結されておらず、そのため、それらは、互いに独立して作動させることができる。
【０００８】
本発明の別の特徴によると、各バレルは、クレードルに取り外し可能に取り付けられている。取り外し可能な特徴のために、バレルを変えることによる、ピックアップシステムのより容易な変更が可能になる。システム変更は、溶接、弦の取り外しを必要とせず、さらに、楽器をひっくり返すこともなく、非常に簡単に行われる。それは、設定不要の即時使用可能システム、すなわち「プラグアンドプレイ」システムについて話されてもよい。
【０００９】
本発明の別の特徴によると、各バレルは、ピックアップシステムを支持する取り外し可能なドロアを受けることが意図された少なくとも１つの外被を備える。よって、バレルのピックアップシステムを簡単に変えることが可能であり、それにより、音楽家は、同じバレル上で利用可能なピックアップシステムを容易に選択することができる。もちろん、本発明は、ピックアップシステムがドロアによる以外の別の方法でバレル上に取り付けられることを除外しない。本発明のフレームワーク内では、用語「外被」は、広義で、用語「ロケーション」の同義語として理解しなければならない。
【００１０】
本発明のこの特徴の変形形態によると、各ピックアップシステムは、取り外し可能なドロアによって支持され、各バレルは、ピックアップシステムと同じ数の外被を備える。この代替の実施形態により、同じバレルのすべてのピックアップシステムを容易に変えることができ、それぞれは互いに独立している。
【００１１】
本発明の別の特徴によると、各ピックアップシステムは、バレルの回転軸Ａ１に略平行である方向Ｄ１に沿って並べられたトランスデューサの列を備える。よって、ピックアップシステムが動作位置にあるとき、このシステムの各トランスデューサは、その振動をピックアップするために、弦に面するように配置されている。
【００１２】
本発明によると、ピックアップシステムは、市販のピックアップシステム、及び／又は、異なる製造業者製のピックアップシステムとすることができ、したがって、独自の特徴を有し、異なる音色を提供するピックアップシステムを有することが可能であることに留意されたい。
【００１３】
本発明のさらに別の特徴によると、装置は、各バレルを所定の位置まで回転させて、１つのピックアップシステムを動作位置に置くそれぞれの位置に固定するための手段を備える。これらの手段により、バレルの回転を停止させて、所望の位置にバレルを固定することができる。音楽家によって選択され、動作位置に置かれた、振動ピックアップシステムに対応する所望の位置。さらに音楽家は、演奏時に、システムを変更する可能性がある。
【００１４】
本発明の別の特徴によると、装置は、動作位置にあるピックアップシステムのみ、接続手段に電気的に結合されるように適合された結合手段を備える。次いで、１つのバレル上では、１つのピックアップシステムのみ有効であり、一方、他のピックアップシステムは接地されている、すなわち、すべてのそれらの接続は、アンプ回路の同じ極性に電気的に結合されている、又は、低抵抗導体を通して地面に連結されている。よって、アンプシステムによって収集された動作位置にあるピックアップシステムの信号のノイズは多くない。そして、動作位置にある有効な振動ピックアップシステムは、バレルに存在する他のピックアップシステムによる影響を受けない。
【００１５】
本発明の別の特徴によると、各バレルの作動手段は動力化されている。このような動力化は、有効である、又は、動作位置にある有効なピックアップシステムの音楽家による選択を容易にする。
【００１６】
先に示されたように、本発明は、前面と、動作位置にある各ピックアップシステムが弦に面するように配置されているように、前面に固定又は一体化された、本発明による少なくとも１つの装置とを備える弦楽器にも関する。
【００１７】
本発明の１つの特徴によると、楽器はエレキギターである。
【００１８】
本発明は、楽器の弦の振動をピックアップするための少なくとも１つの電気的又は電子的システムを備えるドロアにも関し、ドロアは、本発明による装置のバレルに取り外し可能に取り付けられることが意図されている。
【００１９】
本発明は、楽器の弦の振動をピックアップするための少なくとも２つの電気的又は電子的システムが設けられたバレルにも関し、バレルは、本発明による装置に取り付けられることが意図されている。
【００２０】
もちろん、本発明の異なる特徴、変形形態、及び実施形態は、それらが不適合ではない又は互いに排他的ではない限り、さまざまな組合せによって互いに関連付けられてもよい。
【００２１】
さらに、本発明のさまざまな他の特徴は、本発明による楽器の弦の振動をピックアップするための電気的又は電子的システムを切り換えるための装置の非限定的な実施形態を示す図面を参照して行われる添付の説明からは離れている。
【図面の簡単な説明】
【００２２】
【図１】弦振動ピックアップシステムを切り換えるための本発明による装置を備えるエレキギターの全体図である。
【図２】本発明によるエレキギターの底面図を示す。
【図３】本発明による装置を見ることができるエレキギターの底面図である。
【図４】楽器を透明化した、本発明による装置の断面図である。
【図５】装置の回転機構の図である。
【図６】本発明による装置の概略斜視図である。
【図７−１０】特に、本発明によるバレル及びその構成要素を示す概略一部斜視図である。
【発明を実施するための形態】
【００２３】
これらの図では、異なる変形形態に共通の構造的且つ／又は機能的要素は、同じ参照番号を有してもよいことに留意されたい。
【００２４】
図１に図示されて、参照番号１で全体として示される本発明による楽器は、ボディ２を備え、本事例においては、楽器１のボディ２の前面５から離れて、前面５と平行に配置された弦４が、張力を受けて保持されているネック３を有する。前面５は、たとえば、前面５に固定されたブリッジを介して弦４がつなぎ留められたボディ２の表面に対応する。前面５は、楽器１の共鳴板であってもよい。しかし、本発明による撥弦楽器又は弦楽器１は、共鳴板を有していないことがあるが、それは、弦４を支持するボディ２から主に構成される楽器の事例であるためである。
【００２５】
本発明は、弦４の振動をピックアップするための電気的又は電子的システムを簡単に切り換えるための手段の提案を目的とする。そのために、楽器には、弦４の振動をピックアップするためのシステム１１を切り換えるための装置１０が備えられている。
【００２６】
図２において、楽器１は、装置１０を前面５の下に位置付けて接続するために、前面５の反対側の後面７にあげ蓋６を備える。図３から分かるように、装置１０は特に、前面５に固定又は一体化されて、その出力端子のみ示されている、アンプ回路１５への電気的接続のための手段１４が設けられたクレードル１３を備える。特に図６で見ることができる、示された例によるクレードル１３は、２つのバレル２０を受けるための２つの外被を備える、部分的に微細加工された金属構造体である。
【００２７】
示された例は、３つのピックアップシステム１１をそれぞれ支持する（以下に記載される）２つのバレル２０を備える装置１０に対応する。２つのバレル２０はそれぞれ、互いに及び前面５に対して略平行である軸Ａ１及びＡ２を中心に回転する。本発明の１つの特徴によると、バレル２０の回転により、異なる振動ピックアップシステム１１を弦４に面するように持ってくることが可能になる。そのために、装置１０は、バレル２０を回転させるための手段２１を備える。これらの回転手段２１は、一方では、バレル２０の回転をそれぞれ開始及び停止させるための２つのレバー２４によって、他方では、クレードル１３に一体化されたモータによって、作動される、ベルト駆動システム２３を備える。図５において、２つのバレル２０の２つのそれぞれの駆動ベルト２３を見ることができる。レバー２４の操作により、プーリとともに使用されて、歯車装置によってバレル２０を回転させる対応するベルト２３が移動する。その軸Ａ１を中心としたバレル２０の回転により、動作位置を定義することができ、このバレル２０によって支持されたシステム１１のうちのある単一のピックアップシステム１１は、楽器１の前記弦４に面するよう配置される。弦４に面した、選択されたシステム１１の位置は、その動作位置を定義する。
【００２８】
楽器１の弦４の振動をピックアップするための電気的又は電子的システム１１は、エレキギターマイクロホンであってもよい。示される例によると、これらのシステム１１は、バレル２０の回転軸に略平行である軸に沿った列に配置されたトランスデューサ３１を備える。トランスデューサ３１は、金属弦４の振動を電気信号に変換する。トランスデューサ３１は、銅線コイルによって囲まれた、１つ又は複数の磁石から構成されてもよい。各磁石は、磁場を発生させる。振動することによって、磁性材料から作られた弦４は、磁気回路をわずかに変化させ、それにより、弦４の移動の速度に比例して、コイルにおいて起電力が誘起される。生成された電気信号は、たとえば、ワイヤによってアンプ回路１５に送信される。電気信号を形成するために音を発生させることは必要ではなかった。
【００２９】
異なるピックアップシステム１１、特に、一列のトランスデューサ３１を備える簡単なコイルを有するピックアップシステム、及び、二列の平行なトランスデューサ３１を備えるデュアルコイルを有するピックアップシステムが存在する。示される例によると、動作位置において、２つのバレル２０は、簡単なコイルピックアップシステム１１を支持する。図１０で見ることができるデュアルコイルピックアップシステム１１も、本発明によるバレル２０に適している。
【００３０】
図７は、バレル２０が３つのピックアップシステム１１を支持する実施形態によるバレル２０を示す。バレル２０は、略円筒形状を有する回転装置であり、図８で見ることができる中心部分３２を備える。この部分３２は、実質的にプリズムの形状を有し、（本明細書では、プリズムの各面に）それぞれのドロア３４をそれぞれ支持するように適合された３つの外被３３を含む。図９は、本発明によるドロア３４を示す。そして、各ドロア３４は、ピックアップシステム１１を収容することが意図されている。
【００３１】
示される実施形態において、ピックアップシステム１１を電子機器の残りの部分に電気的に結合するための手段４０は、ベリリウム銅コンタクタシステムを備える。中心部分３２は３つの外被３３を備え、外被３３のそれぞれは、ドロア３４を収めることができる２つの略電球形の開口部４２を備える。よって、ドロア３４を外被３３に留めて、次いで、ドロア３４ごとに１つのシステム１１をその中に導入することは簡単である。
【００３２】
次いで、バレル２０の中心部分３２は電気的結合手段４０を支持し、それによって、システム１１と接続手段１４との間の連結を形成する。開口部４２の一方は、ピックアップシステム１１を回路に連結するように適合されており、開口部４２の他方は、ピックアップシステム１１を接地するように適合されている。各ドロア３４は、開口部４２を介して中心部分３２に固定され、その後面を介して中心部分３２上で静止する。バレル２０の回転中、銅コンタクタと電子機器の残りの部分とは物理的に接触していない。中心部分３２は、接地を形成する、部分的に銅から構成された円筒部分４３が貫通する。図７及び８において、バレル２０の中心部分３２は、それぞれがピックアップシステム１１に対応する、接続手段１４に向けての３つの出口４４を備える。回転中、円筒部分４３のみが接続手段１４と接触している。よって、バレル２０から来る信号は、電子機器の残りの部分には伝送されない。回転が停止して、システム１１が動作位置にあるとき、コンタクタは再び、互いに対向し、信号は、接続手段１４に伝送される。
【００３３】
装置は、所定の位置まで回転させて、固定化バレル２０のための手段４５をさらに備える。示される例によると、特に、図５において、これらの手段４５は、移動を開始して、バレル２０の回転を選択されたシステム１１に応じた動作位置で停止させる２つのレバー２４を備える。
【００３４】
先に記載された実施形態は、本発明の非限定的な例示的実施形態である。よって、本発明による装置１０は、より多くの場所で弦４の振動をピックアップするための、３つ以上のバレル２０を含んでもよい。同様に、本発明による装置のバレルは、より多くの種類のシステム１１を提供するために、４つ以上のピックアップシステム１１を支持してもよい。クレードル１３は、新しい構造に適合するために、異なる設計が行われてもよい。
【００３５】
先に記載された例示的な実施形態によると、バレルを作動させるための手段は、ベルトシステムを備える。しかしながら、バレルを回転させるための他の手段２１が意図されてもよい。たとえば、バレル２０は手動で回転させてもよい、すなわち、バレル２０の外面は、バレル２０を作動させるための手段を構成する。音楽家は、外面を操作することによって、自分の１本の指でバレル２０を作動させ、そのようにピックアップシステム１１を変更する。さらに、所定の位置まで回転させて、固定化バレル２０ための他の手段４５が存在する。この例では、ラッチシステムが、バレル２０の回転を停止させる可能性があり、前記ラッチは、手動で及ぼされる特定の圧力に抵抗しない。これらの手段４５は、押しボタン、ホイール、回転ボタン、又は、動作位置に置かれるピックアップシステム１１を選択するための任意の他の手段を備えてもよい。
【００３６】
弦４の振動をピックアップするための他のシステム１１が意図されてもよい。たとえば、弦の位置及びその移動の振幅を知るためのレーザダイオードを備える光電子システム。この情報は伝送されて処理され、そして、増幅可能なオーディオ信号に変換される。
【００３７】
もちろん、さまざまな他の代替の実施形態が、添付の請求項のフレームワーク内で意図されてもよい。
【図１】
2021520524.tif 000003
【図２】
2021520524.tif 000004
【図３】
2021520524.tif 000005
【図４】
2021520524.tif 000006
【図５】
2021520524.tif 000007
【図６】
2021520524.tif 000008
【図７】
2021520524.tif 000009
【図８】
2021520524.tif 000010
【図９】
2021520524.tif 000011
【図１０】
2021520524.tif 000012
【国際調査報告】
2021520524.tif 000013
2021520524.tif 000014
2021520524.tif 000015
2021520524.tif 000016